(57)【要約】【課題】従来の床材よりも比較的軽量で、耐火断熱性及び防湿性、更には遮音性に優れた防音断熱性床材を提供することを目的とする。【解決課題】木造住宅、鉄骨住宅等の建造物に使用される床板であって、芯材１１の両側に使用される基板１２に略中比重ないし高比重の木質部材を使用し、基板１２の外側片面には吸着剤１３１を含有する接着層１３を介して化粧層１４を形成してなり、基板１２の内側中間部には中空防音断熱層１５を形成して無機質耐火断熱発泡材を充填し、軽量耐火断熱材１６を耐熱性袋体１７中に充填してなる防音断熱性床材１。【選択図】図１
2004092318.tif 000002
【特許請求の範囲】
【請求項１】
木造住宅、鉄骨住宅等の建造物に使用される床材であって、
芯材の両側に使用される基板に略中比重ないし高比重の木質部材を使用し、該基板の外側片面には吸着剤を含有する接着層を介して化粧層を形成してなり、
前記基板の内側中間部には中空防音断熱層を形成して無機質耐火断熱発泡材を充填してなることを特徴とする防音断熱性床材。
【請求項２】
無機質耐火断熱発泡材は、無機繊維又はパーライト、バーミキュライト、シラスバルーンより選ばれた１種以上の軽量耐火断熱材を充填してなることを特徴とする請求項１記載の防音断熱性床材。
【請求項３】
無機質耐火断熱発泡材は、耐熱性袋体の中に充填されてなることを特徴とする請求項１又は請求項２記載の防音断熱性床材。
【発明の詳細な説明】
【０００１】
【発明の属する技術分野】
本発明は、従来の床材よりも比較的軽量で、木造住宅、鉄骨住宅等の建造物に使用される遮音性、断熱性、耐火性に優れた防音断熱性床材に関する。
【０００２】
【従来技術】
床材は、一般に図５及び図６に示すごとく、根太の上に下地板（図示略）を介して、或いは介することなく、敷設されている。
【０００３】
例えば、木造住宅における１階の床組は、図５に示すごとく、まず石束９１の上に床束９２を立設し、大引９３を設置し、この大引９３と直交するように根太９４が設置され、この根太９４の上に床板９５が設置される。
【０００４】
また、木造住宅における２階の床組は、図６に示すごとく、柱９６に床梁９７と胴差９８とを設置し、必要に応じて、火打ち梁９９で床梁９７と胴差９８を補強し、これらの上に根太９４が設置され、この根太９４の上に床材が設置される。
【０００５】
一方、従来の床材としては、図４に示すごとく、接着層８０を介して芯材８１の上に遮音シート８２を設置し、ストランドボード８３と中比重繊維板、高比重繊維板とを一体成形した下部木質板８を形成し、これらには緩衝剤８４を介して上部木質板８５が設置されたものが提案されている。なお、これらの裏面側には裏打材８６が設置される。
【０００６】
しかしながら、上記従来の床材は、全て木質部材からなるため、耐火断熱性に乏しく、遮音性は比重が０．７以上の中比重繊維板（高比重繊維板も含む）とストランドボード８３との一体成形物である下部木質板８であることを構成要件とするものである。
【０００７】
そのため、比重が０．６以下のラワン合板等よりも遮音性には優れるものの、全体として高比重の床材であることにより、その取扱い施工性に問題がある。
【０００８】
【発明が解決しようとする課題】
そこで、本発明は、前記問題点に鑑みてなされたものであり、本発明が解決しようとする課題は、従来の床材よりも比較的軽量で耐火断熱性に優れた防音断熱性床材を提供しようとすることを目的とするものである。
【０００９】
【課題を解決するための手段】
上記課題を解決するため、本発明の採った手段は、次に示すとおりである。以下、実施例において使用する符号を付して具体的に説明する。
【００１０】
まず、請求項１記載の発明は、木造住宅、鉄骨住宅等の建造物に使用される床材であって、芯材１１の両側に使用される基板１２に略中比重ないし高比重の木質部材を使用し、該基板１２の外側片面には吸着剤１３１を含有する接着層１３を介して化粧層１４を形成してなり、前記基板１２の内側中間部には中空防音断熱層１５を形成して無機質耐火断熱発泡材を充填してなることを特徴としている。
【００１１】
このように、本発明は、まず前記基板１２の外側片面には吸着剤１３１を含有する接着層１３を介して化粧層１４を形成することを特徴としている。
【００１２】
次に、前記基板１２の内側中間部には、中空防音断熱層１５を形成して無機質耐火断熱発泡材を充填してなることを特徴としている。
そして、請求項２記載の発明は、無機繊維１８（図２）、パーライト、バーミキュライト、シラスバルーンより選ばれた１種以上の軽量耐火断熱材１６を充填してなることを特徴としている。
【００１３】
また、請求項３記載の発明は、無機繊維１８又は軽量耐火断熱材１６などの無機質耐火断熱発泡材は、耐熱性袋体１７の中に充填されてなることを特徴としている。そして、この請求項３記載の発明は、請求項１及び２記載の発明に包含されていることを特徴としている。
【００１４】
以上のように、本発明の防音断熱性床材１は、吸着剤１３１を含有する接着層１３を有するため、空気中の湿分を吸収することにより防湿性に優れている。
そして、防音断熱性床材１は基板１２の内側中間部に中空防音断熱層１５を形成して軽量耐火断熱材１６や中空の無機繊維１８の無機質耐火断熱発泡材を充填しているため、その特性により耐火断熱性に優れている。
【００１５】
【発明の実施の形態】
前記基板１２としては、略中比重ないし高比重の木質部材を使用し、該基板１２の外側片面には、吸着剤１３１を含有する接着層１３を介して化粧層１４を形成している。
【００１６】
前記木質部材としては、中比重のストランドボード、集成材、強化木合板を有利に使用することができる。
また、高比重のストランドボードやその複合木質材を従来の床材の約半分位の板厚さに２分して、中空防音断熱層１５の両側に設置することができる。
【００１７】
前記吸着剤１３１としては、例えばゼオライト、ベントナイト、粉末、活性炭、活性白土を有利に使用することができる。
【００１８】
また、接着層１３としては、例えばフェノール樹脂、ウレタン樹脂、メラミン樹脂等の耐熱性に優れた熱硬化性樹脂を使用することができる。
そして、化粧層１４としては、例えば突板、塩化ビニル樹脂又はウレタン樹脂印刷シートを使用することができる。
【００１９】
前記基板１２の内側中間部には、中空防音断熱層を形成して、無機繊維１８、軽量耐火断熱材１６などの無機質耐火断熱発泡材を充填している。そして、無機繊維１８又は無機質耐火断熱発泡材１６は、耐熱性袋体１７の中に充填されている。
該耐熱性袋体１７としては、例えばガラス繊維布、アルミニウム箔、防火性布等からなる扁平状楕円体により有利に構成することができる。
【００２０】
前記軽量耐火断熱材１６としては、独立気泡を有するパーライト、バーミキュライト、シラスバルーンなどの天然又は人造の無機質耐火断熱発泡材１６を有利に使用することができる。これらの嵩比重は、例えば、０．１〜０．５位であることが好ましい。軽量であることが、前記基板１２との関係により、床材全体の嵩比重を低減することができるからである。
【００２１】
ここで注目すべきことは、前記軽量耐火断熱材１６及び無機繊維１８は、比較的軽量な耐火断熱性に優れた無機質耐火断熱発泡材であることである。これにより、防音断熱性床材１の中空防音断熱層１５において充填されているため、耐火断熱性に優れた防音断熱性床材１を構成できることである。そのため、省エネルギーに役立つ。なお、無機繊維は、ガラス、セラミックスを高温で発泡させた一種の耐火断熱発泡材
【００２２】
さらに重要なことは、前記接着層１３は、各種の吸着剤１３１を含有してなることである。該吸着剤１３１は空気中や床下の湿分を吸収したり、乾燥時には含有した水分を長期間にわたり、徐々に放出して、木造住宅や鉄骨住宅の部屋の水分調整をすることができる。
【００２３】
以下に、本発明の好ましい実施例について、添付図面を参照しながら、具体的に説明する。本発明の技術的範囲は、勿論これらの実施例に制限されるものではない。なお、防音断熱性床材１は木造住宅の他にも鉄骨住宅に同様に使用することができる。
【００２４】
（実施例１）
本例は、図１に示すごとく、芯材１１として集成材を使用し、基板１２として、中比重の強化合板を使用するものである。また、接着層１３としては、フェノール樹脂からなる耐水性、耐熱性に優れた熱硬化型接着層を使用する。そして、この接着層１３中に含有する吸着剤としては、活性炭及びベントナイト粉末混合物を使用する。
【００２５】
化粧層１４としては、突板の化粧シートを使用する。そして、無機質耐火断熱発泡材としてはパーライトとバーミキュライトとの混合物を使用する。これらの混合物は、アルミニウム箔製の耐熱性袋体１７を使用する。
【００２６】
この耐熱性袋体１７は、図１に示すごとく、扁平状楕円体のものを縦方向に整列させる。これにより、耐熱性袋体１７の破損を低減し、比較的コンパクトな耐熱性袋体１７を多量に中空防音断熱層１中に充填することができる。そして、内側中間部として、スライス合板を使用する。
【００２７】
以上のように、本例の防音断熱性床材１によれば、木造住宅に最適の中空防音断熱層１５中の耐熱性袋体１７により、従来の床材よりも比較的軽量で耐火断熱性に優れ、かつ防湿性を向上させることができる。
【００２８】
（実施例２）
本例は、図２に示すごとく、実施例１における耐熱性袋体１７に代えて、ガラス繊維布製の比較的大きなサイズの扁平状楕円体の耐熱性袋体１９の中に、ロックウール及びセラミックス繊維層の混合物を充填したものを使用する。
【００２９】
その他の構成は、実施例１と同様としている。そのため、実施例１の防音断熱性床材１よりも更に軽量で、かつ生産性に優れた防音断熱性床材１を得ることができる。
【００３０】
本例の防音断熱性床材１は、中空防音断熱層１５の中に充填する耐熱性袋体１９が比較的大きなサイズであるため、実施例１の耐熱性袋体１７よりも充填作業が容易となるからである。
【００３１】
（実施例３）
本例は、図３に示すごとく、実施例１における耐熱性袋体１７を使用することなく、中空防音断熱層１５の中に直接軽量耐火断熱材１６を圧縮空気により、芯材１１に設置した充填開口穴を介して充填するものである。その他の構成は、実施例１と同様とした。
【００３２】
そのため、本例によれば、中空防音断熱層１５中に軽量耐火断熱材１６を充填する作業が、連続的で多量生産に適した防音断熱性床材１を得ることができる。
【００３３】
以上の実施例に基づいて本発明を説明したが、本発明は上記実施例に何ら制限されるものではなく、本発明の目的を逸脱しない範囲で、更に種々の変形が可能である。
【００３４】
【発明の効果】
本発明は、以上説明した如く、請求項１〜３記載のとおりに構成されているため、以下に示すごとく、種々の効果を発揮する。
【００３５】
請求項１記載の発明によれば、比較的軽量で耐火断熱性及び防湿性、更には遮音性に優れた防音断熱性床材１を得ることができる。
また、請求項２記載の発明によれば生産性に優れた防音断熱性床材１を得ることができる。
そして、請求項３記載の発明によれば、更に生産性に優れた防音断熱性床材１を得ることができる。
【図面の簡単な説明】
【図１】本発明の実施例１の防音断熱性床材の縦断面図。
【図２】本発明の実施例２の防音断熱性床材の縦断面図。
【図３】本発明の実施例３の防音断熱性床材の縦断面図。
【図４】従来例としての床材の縦断面図。
【図５】木造住宅の１階の床組例を示す斜視図。
【図６】木造住宅の２階の床組例を示す斜視図。
【符号の説明】
１　　　　　　　　　　防音断熱性床材
１１　　　　　　　　芯材
１２　　　　　　　　基板
１３　　　　　　　　接着層
１３１　　　　　　吸着剤
１４　　　　　　　　化粧層
１５　　　　　　　　中空防音断熱層
１６　　　　　　　　軽量耐火断熱材
１７，１９　耐熱性袋体
１８　　　　無機繊維
【図１】
2004092318.tif 000003
【図２】
2004092318.tif 000004
【図３】
2004092318.tif 000005
【図４】
2004092318.tif 000006
【図５】
2004092318.tif 000007
【図６】
2004092318.tif 000008